(57)【要約】  ワイヤレス通信ネットワークにおける高度な無線リンク機能のＵＥ支援管理は、ネットワークエンティティが、モバイルエンティティが１組の無線リンク構成を使用して１つまたは複数の基地局と通信することができることを決定し、モバイルエンティティから、無線リンク構成のうちの少なくとも１つの使用を制限する旨の要求を受信し、要求に基づいて、モバイルエンティティと通信するための無線リンク構成のうちの少なくとも１つの使用を制限することとを含み得る。要求は、制限のための理由を示し得、ネットワークエンティティは、その理由に基づいて制限するかどうかを決定することができる。無線リンク構成は、ひとたび制限されると、同じように、その後のＵＥ要求に基づいて、または時間期間の期限切れに基づいて、非制限にされ得る。
2015536612.tif 000002
【特許請求の範囲】
【請求項１】
ワイヤレス通信のための方法であって、
モバイルエンティティが１組の無線リンク構成を使用して１つまたは複数の基地局と通信することができることを決定することと、
モバイルエンティティから、前記無線リンク構成のうちの少なくとも１つの使用を制限する旨の要求を受信することと、
前記要求に基づいて、前記モバイルエンティティと通信するための前記無線リンク構成のうちの前記少なくとも１つの使用を制限することと
を備える、方法。
【請求項２】
前記無線リンク構成のうちの前記少なくとも１つが非制限であることを要求する第２の要求を前記モバイルエンティティから受信し、その後、前記第２の要求に基づいて、前記モバイルエンティティと通信するための前記無線リンク構成のうちの前記少なくとも１つを使用することを備える、請求項１に記載の方法。
【請求項３】
前記要求が前記使用を制限するための期間を指定し、前記期間が期限切れになるまで、使用の前記制限が実行される、請求項１に記載の方法。
【請求項４】
前記要求が前記無線リンク構成のうちの前記少なくとも１つの前記使用を制限するための理由を示す、請求項１に記載の方法。
【請求項５】
前記理由に少なくとも一部基づいて、前記要求に応えるべきかどうかを決定することをさらに備える、請求項４に記載の方法。
【請求項６】
前記モバイルエンティティの前記要求に応えるかどうかを前記決定することの結果を示すことをさらに備える、請求項５に記載の方法。
【請求項７】
前記１組の無線リンク構成が、キャリアアグリゲーション（ＣＡ）、協調マルチポイント伝送（ＣｏＭＰ）、ダウンリンク層の最大数、アップリンク層の最大数、キャリアの最大数、干渉除去機能、マルチクラスタリソース割振り機能、パラレルアップリンク制御およびデータ伝送機能、またはＵＥのカテゴリのうちの１つもしくは複数を備える、請求項１に記載の方法。
【請求項８】
前記制限は、前記モバイルエンティティを第１のユーザ機器（ＵＥ）カテゴリから前記第１のＵＥカテゴリよりも低い第２のＵＥカテゴリに制限することである、請求項１に記載の方法。
【請求項９】
ワイヤレス通信のための装置であって、
モバイルエンティティが１組の無線リンク構成を使用して１つまたは複数の基地局と通信することができることを決定するための手段と、
前記モバイルエンティティから、前記無線リンク構成のうちの少なくとも１つの使用を制限する旨の要求を受信するための手段と、
前記要求に基づいて、前記モバイルエンティティと通信するための前記無線リンク構成のうちの前記少なくとも１つの使用を制限するための手段と
を備える、装置。
【請求項１０】
ワイヤレス通信のための装置であって、
モバイルエンティティが１組の無線リンク構成を使用して１つまたは複数の基地局と通信することができることを決定し、
前記モバイルエンティティから、前記無線リンク構成のうちの少なくとも１つの使用を制限する旨の要求を受信し、
前記要求に基づいて、前記モバイルエンティティと通信するための前記無線リンク構成のうちの前記少なくとも１つの使用をレストリクティする
ように構成された少なくとも１つのプロセッサと、
前記少なくとも１つのプロセッサに結合された、データを記憶するためのメモリと
を備える、装置。
【請求項１１】
前記少なくとも１つのプロセッサがさらに、前記無線リンク構成のうちの前記少なくとも１つが非制限であることを要求する第２の要求を前記モバイルエンティティから受信し、その後、前記第２の要求に基づいて、前記モバイルエンティティと通信するための前記無線リンク構成のうちの前記少なくとも１つを使用するように構成される、請求項１０に記載の装置。
【請求項１２】
前記少なくとも１つのプロセッサがさらに、前記使用を制限するための期間を指定し、前記期間が期限切れになるまで、前記使用を制限する前記要求を受信するように構成される、請求項１０に記載の装置。
【請求項１３】
前記少なくとも１つのプロセッサがさらに、前記無線リンク構成のうちの前記少なくとも１つの前記使用を制限するための理由を示す前記要求を受信するように構成される、請求項１０に記載の装置。
【請求項１４】
前記少なくとも１つのプロセッサがさらに、前記理由に少なくとも一部基づいて、前記要求に応えるべきかどうかを決定するように構成される、請求項１３に記載の装置。
【請求項１５】
前記少なくとも１つのプロセッサがさらに、前記モバイルエンティティの前記要求に応えるかどうかを前記決定することの結果を示すように構成される、請求項１４に記載の装置。
【請求項１６】
前記少なくとも１つのプロセッサがさらに、前記モバイルエンティティが、キャリアアグリゲーション（ＣＡ）、協調マルチポイント伝送（ＣｏＭＰ）、ダウンリンク層の最大数、アップリンク層の最大数、キャリアの最大数、干渉除去機能、マルチクラスタリソース割振り機能、パラレルアップリンク制御およびデータ伝送機能、またはＵＥのカテゴリのうちの１つまたは複数を備える前記１組の無線リンク構成を使用することができることを決定するように構成される、請求項１０に記載の装置。
【請求項１７】
前記少なくとも１つのプロセッサがさらに、前記モバイルエンティティを第１のユーザ機器（ＵＥ）カテゴリから前記第１のＵＥカテゴリよりも低い第２のＵＥカテゴリに制限することを含む前記制限を実行するように構成される、請求項１０に記載の装置。
【請求項１８】
コンピュータ可読媒体を備えるコンピュータプログラム製品であって、前記コンピュータ可読媒体が、
少なくとも１つのコンピュータに、モバイルエンティティが１組の無線リンク構成を使用して１つまたは複数の基地局と通信することができることを決定させるためのコードと、
前記少なくとも１つのコンピュータに、前記モバイルエンティティから、前記無線リンク構成のうちの少なくとも１つの使用を制限する旨の要求を受信させるためのコードと、
前記少なくとも１つのコンピュータに、前記要求に基づいて、前記モバイルエンティティと通信するための前記無線リンク構成のうちの前記少なくとも１つの使用を制限させるためのコードと
を備える、コンピュータプログラム製品。
【請求項１９】
ワイヤレス通信のための方法であって、
１組の無線リンク構成を使用して１つまたは複数の基地局と通信することができるモバイルエンティティで、前記無線リンク構成のうちの少なくとも１つの使用が制限されるべきであることを決定することと、
前記無線リンク構成の要素のうちの前記少なくとも１つの使用を制限する旨の要求を基地局に送ることと、
無線リンクを使用して前記基地局と通信することと、ここにおいて、前記要求に基づいて、前記無線リンク構成のうちの前記少なくとも１つの使用が制限されること
を備える、方法。
【請求項２０】
前記無線リンク構成のうちの前記少なくとも１つが非制限であることを要求する第２の要求を前記基地局に送り、その後、前記第２の要求に基づいて、前記モバイルエンティティと通信するための前記無線リンク構成のうちの前記少なくとも１つを使用することをさらに備える、請求項１９に記載の方法。
【請求項２１】
前記要求に関連して前記使用を制限するための期間を指定し、無線リンクを使用して前記基地局との前記通信を実行することをさらに備え、ここにおいて、前記期間が期限切れになるまで、前記無線リンク構成のうちの前記少なくとも１つの使用が制限される、請求項１９に記載の方法。
【請求項２２】
前記要求に関連して前記無線リンク構成のうちの前記少なくとも１つの前記使用を制限するための理由を含むことをさらに備える、請求項１９に記載の方法。
【請求項２３】
前記理由に少なくとも一部基づいて、前記無線リンク構成のうちの少なくとも１つの使用は制限されるべきであることを前記決定することを実行する、請求項２２に記載の方法。
【請求項２４】
前記基地局が前記要求に応えているかどうかを示す指示を前記基地局から受信することをさらに備える、請求項２３に記載の方法。
【請求項２５】
前記１組の無線リンク構成が、キャリアアグリゲーション（ＣＡ）、協調マルチポイント伝送（ＣｏＭＰ）、ダウンリンク層の最大数、アップリンク層の最大数、キャリアの最大数、干渉除去機能、マルチクラスタリソース割振り機能、パラレルアップリンク制御およびデータ伝送機能、またはＵＥのカテゴリのうちの１つまたは複数を備える、請求項１９に記載の方法。
【請求項２６】
使用を制限する旨の前記要求が、前記モバイルエンティティを第１のユーザ機器（ＵＥ）カテゴリから前記第１のＵＥカテゴリよりも低い第２のＵＥカテゴリに制限することを含む、請求項１９に記載の方法。
【請求項２７】
ワイヤレス通信のための装置であって、
１組の無線リンク構成を使用して１つまたは複数の基地局と通信することができるモバイルエンティティで、前記無線リンク構成のうちの少なくとも１つの使用が制限されるべきであることを決定するための手段と、
前記無線リンク構成の要素のうちの前記少なくとも１つの使用を制限する旨の要求を基地局に送るための手段と、
無線リンクを使用して前記基地局と通信するための手段と、ここにおいて、前記要求に基づいて、前記無線リンク構成のうちの前記少なくとも１つの使用が制限されること
を備える、装置。
【請求項２８】
ワイヤレス通信のための装置であって、
１組の無線リンク構成を使用して１つまたは複数の基地局と通信することができるモバイルエンティティで、前記無線リンク構成のうちの少なくとも１つの使用が制限されるべきであることを決定し、
前記無線リンク構成の要素のうちの前記少なくとも１つの使用を制限する旨の要求を基地局にセンディし、
無線リンクを使用して前記基地局と通信し、ここにおいて、前記要求に基づいて、前記無線リンク構成のうちの前記少なくとも１つの使用が制限される
ように構成された少なくとも１つのプロセッサと、
前記少なくとも１つのプロセッサに結合された、データを記憶するためのメモリと
を備える、装置。
【請求項２９】
前記プロセッサがさらに、前記無線リンク構成のうちの前記少なくとも１つが非制限であることを要求する第２の要求を前記基地局に送り、その後、前記第２の要求に基づいて、前記モバイルエンティティと通信するための前記無線リンク構成のうちの前記少なくとも１つを使用するように構成される、請求項２８に記載の装置。
【請求項３０】
前記プロセッサがさらに、前記要求に関連して前記使用を制限するための期間を指定し、無線リンクを使用して前記基地局と通信するように構成され、ここにおいて、前記期間が期限切れになるまで、前記無線リンク構成のうちの前記少なくとも１つの使用が制限される、請求項２８に記載の装置。
【請求項３１】
前記プロセッサがさらに、前記要求に関連して前記無線リンク構成のうちの前記少なくとも１つの前記使用を制限するための理由を含むように構成される、請求項２８に記載の装置。
【請求項３２】
前記プロセッサがさらに、前記理由に少なくとも一部基づいて、前記無線リンク構成のうちの少なくとも１つの使用は制限されるべきであることを前記決定することを実行するように構成される、請求項３１に記載の装置。
【請求項３３】
前記プロセッサがさらに、前記基地局が前記要求に応えているかどうかを示す指示を前記基地局から受信するように構成される、請求項３２に記載の方装置。
【請求項３４】
前記プロセッサがさらに、前記１組の無線リンク構成のうちの少なくとも１つを使用するように構成され、キャリアアグリゲーション（ＣＡ）、協調マルチポイント伝送（ＣｏＭＰ）、ダウンリンク層の最大数、アップリンク層の最大数、キャリアの最大数、干渉除去機能、マルチクラスタリソース割振り機能、パラレルアップリンク制御およびデータ伝送機能、またはＵＥのカテゴリのうちの１つまたは複数を備える、請求項２８に記載の装置。
【請求項３５】
前記プロセッサがさらに、前記モバイルエンティティを第１のユーザ機器（ＵＥ）カテゴリから前記第１のＵＥカテゴリよりも低い第２のＵＥカテゴリに制限することを含む使用を制限する旨の前記要求を送るように構成される、請求項２８に記載の装置。
【請求項３６】
コンピュータ可読媒体を備えるコンピュータプログラム製品であって、前記コンピュータ可読媒体が、
少なくとも１つのコンピュータに、１組の無線リンク構成を使用して１つまたは複数の基地局と通信することができるモバイルエンティティで、前記無線リンク構成のうちの少なくとも１つの使用が制限されるべきであることを決定させるためのコードと、
前記少なくとも１つのコンピュータに、前記無線リンク構成のうちの前記少なくとも１つの使用を制限する旨の要求を基地局に送らせるためのコードと、
前記少なくとも１つのコンピュータに、無線リンクを使用して前記基地局と通信させ、ここにおいて、前記要求に基づいて、前記無線リンク構成のうちの前記少なくとも１つの使用が制限されるためのコードと
を備える、コンピュータプログラム製品。
【発明の詳細な説明】
【技術分野】
【０００１】
関連出願の相互参照
[0001]本出願は、米国特許法第１１９条による、その全体が参照により本明細書に組み込まれる、２０１２年１０月２４日に出願された仮出願第６１／７１８，１１８号の優先権を主張する。
【０００２】
[0002]本開示の態様は全般にワイヤレス通信システムに関し、より詳細には、ワイヤレス通信ネットワークにおける高度な無線リンク機能のユーザ機器（ＵＥ）支援管理に関する。
【背景技術】
【０００３】
[0003]ワイヤレス通信ネットワークは、音声、ビデオ、パケットデータ、メッセージング、ブロードキャスト、または他のサービスなどの様々な通信サービスを提供するために広く展開されている。これらのワイヤレスネットワークは、利用可能なネットワークリソースを共有することによって複数のユーザをサポートすることが可能な、多元接続ネットワークであり得る。そのような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、ユーザ機器（ＵＥ）と呼ばれることがある多数のモバイルエンティティの通信をサポートすることができる、多数の基地局を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]３ｒｄ  Ｇｅｎｅｒａｔｉｏｎ  Ｐａｒｔｎｅｒｓｈｉｐ  Ｐｒｏｊｅｃｔ（３ＧＰＰ）  Ｌｏｎｇ  Ｔｅｒｍ  Ｅｖｏｌｕｔｉｏｎ（ＬＴＥ）は、Ｇｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ（登録商標））およびＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）の発展形として、セルラー技術における大きな進歩を代表するものである。ＬＴＥ物理層（ＰＨＹ）は、ｅｖｏｌｖｅｄ  Ｎｏｄｅ  Ｂ（ｅＮＢ）のような基地局とＵＥのようなモバイルエンティティとの間でデータと制御情報の両方を搬送する、高効率な方法を提供する。従来の適用形態では、マルチメディアのための高帯域幅通信を容易にするための方法は、単一周波数ネットワーク（ＳＦＮ）動作であった。ＳＦＮは、たとえば、ｅＮＢのような無線送信機を利用して、加入者ＵＥと通信する。
【０００６】
[0006]ワイヤレスサービスの需要と消費とが伸びるにつれて、ワイヤレス通信システムは、基地局（たとえば、ｅＮＢ）と加入者局（たとえば、ＵＥ）との間の無線リンクに高度な機能を含むように進化してきた。高度な機能には、たとえば、キャリアアグリゲーション（ＣＡ）および協調マルチポイント伝送（ＣｏＭＰ）があり得る。ワイヤレスネットワークは、ＵＥの報告された機能に基づいて特定のＵＥと通信するために、いくつかの機能、たとえばＣＡを使用するべきかどうかを決定することができる。たとえば、ネットワークは、高度な機能を使用することができないＵＥの高度な機能なしにワイヤレスサービスをサポートしながら、（たとえば、必要なハードウェア、ファームウェア、および／またはソフトウェアを所有する）高度な機能を使用することができるＵＥの高度な機能をサポートすることができる。
【発明の概要】
【０００７】
[0007]セルラーワイヤレス通信ネットワークにおける高度な無線リンク機能のＵＥ支援管理のための、方法、装置、およびシステムは、発明を実施するための形態において詳しく説明され、いくつかの態様が以下で概説される。この概要および以下の発明を実施するための形態は、統合された開示の補助的な部分として解釈されるべきであり、これらの部分は、重複する主題および／または補足的な主題を含み得る。いずれかのセクションの省略は、統合された適用例において説明するいかなる要素の優先順位または相対的な重要性をも示すものでない。セクション間の差は、代替実施形態の補足的な開示、追加の詳細、または異なる用語を使用した同一の実施形態の代替的説明を含むことがあり、これらはそれぞれの開示から明らかなはずである。
【０００８】
[0008]一態様では、ワイヤレス通信のためのネットワークエンティティによる方法は、モバイルエンティティが１組の無線リンク構成を使用して１つまたは複数の基地局と通信することができることを決定することを含み得る。たとえば、基地局は、モバイルエンティティおよび／またはネットワークノードから無線リンク機能情報を受信することができる。この方法は、モバイルエンティティから基地局で、無線リンク構成のうちの少なくとも１つの使用を制限する旨の要求を受信することをさらに含み得る。この方法は、要求に基づいて、モバイルエンティティと通信するための少なくとも１つの無線リンク構成の使用を制限することをさらに含み得る。
【０００９】
[0009]たとえば、基地局によって制限された無線リンク構成は、キャリアアグリゲーション（ＣＡ）、協調マルチポイント伝送（ＣｏＭＰ）、ダウンリンク層の最大数、アップリンク層の最大数、キャリアの最大数、干渉除去機能、マルチクラスタリソース割振り機能、パラレルアップリンク制御およびデータ伝送機能、またはＵＥのカテゴリのうちの１つもしくは複数を含み得る。
【００１０】
[0010]ＵＥカテゴリは、ＵＥのアップリンクまたはダウンリンク機能に関連する無線リンクのいくつかの属性の有無を指し得る。たとえば、カテゴリは、定義されたピークデータレート、ダウンリンク（ＤＬ）層の最大数、アップリンク（ＵＬ）層の最大数、ＣＡにおけるキャリアの最大数、または前述の態様のいくつかの組合せによって定義され得る。カテゴリは、相対的なリソースの割振りに基づいて「より高い」または「より低い」として特徴付けられ得、ここにおいて、より高いカテゴリは、より低いカテゴリよりも大きいリソース割振りを必要とする。無線リンク構成の制限は、そうでなければモバイルエンティティが可能であるよりも低いカテゴリの無線リンク動作にモバイルエンティティを制限することを含み得る。
【００１１】
[0011]別の態様では、基地局によってモバイルエンティティから受信される要求は、使用を制限するための期間を指定する。期間の指示を受信することに応答して、基地局は、期間が期限切れになるまでのみ、無線リンク構成の使用を制限することができる。
【００１２】
[0012]方法の別の態様では、基地局によってモバイルエンティティから受信される要求は、無線リンク構成のうちの少なくとも１つの使用を制限するための理由を示すことができる。このような場合、方法は、その理由に少なくとも一部基づいて、要求に応えるべきかどうかを決定することをさらに含み得る。さらに、この方法は、モバイルエンティティの要求に応えるかどうかを決定することの結果を示すことを含み得る。
【００１３】
[0013]この方法のさらなる態様では、基地局は、無線リンク構成のうちの少なくとも１つが非制限であることを要求する第２の要求をモバイルエンティティから受信することができる。第２の要求を受信することに基づいて、基地局は、モバイルエンティティと通信するための無線リンク構成のうちの少なくとも１つを非制限にする（たとえば、使用する）ことができる。
【００１４】
[0014]対応する動作は、モバイルエンティティまたは他のアクセス端末によって実行され得る。たとえば、モバイルエンティティによる方法は、１組の無線リンク構成を使用して１つまたは複数の基地局と通信することができるモバイルエンティティで、無線リンク構成のうちの少なくとも１つの使用が制限されるべきであることを決定することを含み得る。モバイルエンティティによる方法は、モバイルエンティティから基地局に、無線リンク構成のうちの少なくとも１つの使用を制限する旨の要求を送ることをさらに含み得る。モバイルエンティティによる方法は、無線リンクを使用して基地局と通信することをさらに含み得、ここにおいて、要求に基づいて、無線リンク構成のうちの少なくとも１つの使用が制限される。モバイルエンティティによる方法は、上記で要約される基地局によって、追加の動作に対応する追加の動作を含み得る。
【００１５】
[0015]関連する態様では、上で要約された方法および方法の態様のいずれかを実行するための、ワイヤレス通信装置が提供され得る。装置は、たとえば、メモリに結合されたプロセッサを含んでよく、メモリは、上で説明された動作を装置に実行させるためにプロセッサが実行するための命令を保持する。そのような装置のいくつかの態様（たとえば、ハードウェア態様）は、たとえば基地局、ｅＮＢ、ピコセル、フェムトセル、またはＨｏｍｅ  Ｎｏｄｅ  Ｂなど、ネットワークエンティティのような機器によって、あるいは代替では、たとえばモバイルエンティティまたはＵＥなどのアクセス端末によって例証され得る。同様に、プロセッサによって実行されると、上で要約された方法と方法の態様とをスモールセルに実行させる、符号化された命令を保持するコンピュータ可読記憶媒体を含む、製品が提供され得る。
【図面の簡単な説明】
【００１６】
【図１】[0016]ワイヤレス遠隔通信システムのある例を概念的に示す概略図。
【図２】[0017]ワイヤレス通信システム内の制限された、および制限されていない無線リンクを含むセルの一例を概念的に示すブロック図。
【図３】[0018]本開示の一態様に従って構成された基地局／ｅＮＢおよびＵＥの設計を概念的に示すブロック図。
【図４】[0019]連続的なキャリアアグリゲーションのタイプの例を示すブロック図。
【図５】[0020]非連続的なキャリアアグリゲーションのタイプの例を示すブロック図。
【図６】[0021]ワイヤレス通信システムのネットワークエンティティにおける無線リンク機能のＵＥ支援管理のための方法の実施形態を示す流れ図。
【図７】ワイヤレス通信システムのネットワークエンティティにおける無線リンク機能のＵＥ支援管理のための方法の実施形態を示す流れ図。
【図８】ワイヤレス通信システムのネットワークエンティティにおける無線リンク機能のＵＥ支援管理のための方法の実施形態を示す流れ図。
【図９】[0022]図６〜図８の方法による、無線リンク機能のＵＥ支援管理のための装置のある実施形態を示すブロック図。
【図１０】[0023]ワイヤレス通信システムのモバイルエンティティにおける無線リンク機能のＵＥ支援管理のための方法の実施形態を示す流れ図。
【図１１】ワイヤレス通信システムのモバイルエンティティにおける無線リンク機能のＵＥ支援管理のための方法の実施形態を示す流れ図。
【図１２】ワイヤレス通信システムのモバイルエンティティにおける無線リンク機能のＵＥ支援管理のための方法の実施形態を示す流れ図。
【図１３】[0024]図１０〜図１２の方法による、無線リンク機能のＵＥ支援管理のためのモバイル装置のある実施形態を示すブロック図。
【発明を実施するための形態】
【００１７】
[0025]添付の図面に関して以下に示される発明を実施するための形態は、様々な構成を説明するものであり、本明細書で説明される概念が実施され得る唯一の構成を表すものではない。発明を実施するための形態は、様々な概念の完全な理解を与えるための具体的な詳細を含む。しかしながら、これらの概念はこれらの具体的な詳細を伴わずに実施され得ることが当業者には明らかであろう。
【００１８】
[0026]本明細書で説明される技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークに使用され得る。「ネットワーク」および「システム」という用語は、しばしば互換的に使用される。ＣＤＭＡネットワークは、たとえば、Ｕｎｉｖｅｒｓａｌ  Ｔｅｒｒｅｓｔｒｉａｌ  Ｒａｄｉｏ  Ａｃｃｅｓｓ（ＵＴＲＡ）またはＣＤＭＡ２０００などの無線技術を実装し得る。ＵＴＲＡは、Ｗｉｄｅｂａｎｄ  ＣＤＭＡ（ＷＣＤＭＡ（登録商標））とＣＤＭＡの他の変形とを含む。ＣＤＭＡ２０００は、ＩＳ−２０００、ＩＳ−９５およびＩＳ−８５６規格によって記述され得る。ＴＤＭＡネットワークは、たとえば、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）などの無線技術を実装し得る。ＯＦＤＭＡネットワークは、たとえば、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭＡなどの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」という名称の組織からの文書に記載されている。本明細書で説明される技法は、上記のワイヤレスネットワークおよび無線技術、ならびに他のワイヤレスネットワークおよび無線技術に使用され得る。単に例として、本技法のいくつかの態様は以下ではＬＴＥに関して説明され、以下の説明の大部分でＬＴＥ用語が使用される。
【００１９】
[0027]図１は、ワイヤレス通信ネットワーク１００を示し、これはＬＴＥネットワークであり得る。ワイヤレスネットワーク１００は、いくつかのｅＮＢ  １１０と他のネットワークエンティティとを含み得る。ｅＮＢは、ＵＥと通信する局であってよく、基地局、Ｎｏｄｅ  Ｂ、アクセスポイント、または他の用語でも呼ばれ得る。各ｅＮＢ  １１０ａ、１１０ｂ、１１０ｃは、特定の地理的エリアに対して通信カバレッジを提供することができる。３ＧＰＰでは、「セル」という用語は、この用語が使用される状況に応じて、ｅＮＢのカバレッジエリアおよび／またはこのカバレッジエリアにサービスしているｅＮＢサブシステムを指すことがある。
【００２０】
[0028]ｅＮＢは、マクロセル、ピコセル、フェムトセル、および／または他のタイプのセルに通信カバレッジを提供することができる。マクロセルは、比較的大きい地理的エリア（たとえば、半径数キロメートル）をカバーでき、サービスに加入しているＵＥによる無制限アクセスを可能にし得る。ピコセルは、比較的小さい地理的エリアをカバーし、サービスに加入しているＵＥによる無制限アクセスを可能にし得る。フェムトセルは、比較的小さい地理的エリア（たとえば、自宅）をカバーすることができ、フェムトセルとの関連を有するＵＥ（たとえば、限定加入者グループ（ＣＳＧ）中のＵＥ、自宅内のユーザのためのＵＥ、または他のグループなど）による限定アクセスを可能にし得る。マクロセルのためのｅＮＢは、マクロｅＮＢと呼ばれ得る。ピコセルのためのｅＮＢは、ピコｅＮＢと呼ばれ得る。フェムトセルのためのｅＮＢは、フェムトｅＮＢまたはホームｅＮＢ（ＨＮＢ）と呼ばれ得る。図１に示される例では、ｅＮＢ  １１０ａ、１１０ｂ、および１１０ｃは、それぞれマクロセル１０２ａ、１０２ｂ、および１０２ｃのためのマクロｅＮＢであり得る。ｅＮＢ  １１０ｘは、ピコセル１０２ｘのためのピコｅＮＢであり得る。ｅＮＢ  １１０ｙおよび１１０ｚは、それぞれフェムトセル１０２ｙおよび１０２ｚのためのフェムトｅＮＢであり得る。ｅＮＢは、単一のキャリアを使用して１つのセルをサポートすることができ、または対応する複数のキャリアを使用して複数のセルをサポートすることができる。
【００２１】
[0029]ワイヤレスネットワーク１００は、様々なタイプのｅＮＢ、たとえば、マクロｅＮＢ、ピコｅＮＢ、フェムトｅＮＢ、または中継局を含むヘテロジニアスネットワークであり得る。これらの様々なタイプのｅＮＢは、様々な送信出力レベル、様々なカバレッジエリア、およびワイヤレスネットワーク１００中の干渉に対する様々な影響を有し得る。たとえば、マクロｅＮＢは、高い送信電力レベル（たとえば、５〜４０ワット）を有し得るが、ピコｅＮＢ、フェムトｅＮＢ、およびリレーは、より低い送信電力レベル（たとえば、０．１〜２ワット）を有し得る。ＵＥは、複数のｅＮＢのカバレッジ内にあり得る。そのＵＥをサービスするために、これらのｅＮＢのうちの１つが選択され得る。サービングｅＮＢは、たとえば、受信電力、経路損失、信号対雑音比（ＳＮＲ）、または他の基準などのような、様々な基準に基づいて選択され得る。
【００２２】
[0030]ワイヤレスネットワーク１００は、同期動作または非同期動作をサポートし得る。同期動作の場合、ｅＮＢは同様のフレームタイミングを有してよく、異なるｅＮＢからの送信は時間的に概ね整合され得る。非同期動作の場合、ｅＮＢは異なるフレームタイミングを有することがあり、異なるｅＮＢからの送信は時間的に整合されないことがある。本明細書で説明される技法は、同期動作と非同期動作の両方のために使用され得る。
【００２３】
[0031]ネットワークコントローラ１３０は、ｅＮＢのセットに結合し、これらのｅＮＢのための協調と制御とを行い得る。ネットワークコントローラ１３０は、バックホールを介してｅＮＢ１１０と通信し得る。ｅＮＢ  １１０はまた、たとえば、ワイヤレスバックホールまたは有線バックホールを介して直接または間接的に、互いに通信し得る。
【００２４】
[0032]ＵＥ  １２０は、ワイヤレスネットワーク１００全体にわたって分散されてよく、各ＵＥは、固定式でも移動式でもよい。ＵＥは、端末、移動局、モバイルエンティティ、加入者局、または他の用語で呼ばれることもある。ＵＥは、セルラー電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、または他のモバイルエンティティであり得る。ＵＥは、マクロｅＮＢ、ピコｅＮＢ、フェムトｅＮＢ、中継局、または他のネットワークエンティティと通信することが可能であり得る。図１において、両矢印付きの実線は、ダウンリンクおよび／またはアップリンク上での、ＵＥと、そのＵＥをサービスするように指定されたｅＮＢであるサービングｅＮＢとの間の、所望の送信を示す。両矢印付きの破線は、ＵＥとｅＮＢとの間の干渉する送信を示す。
【００２５】
[0033]ＬＴＥは、ダウンリンク上では直交周波数分割多重化（ＯＦＤＭ）を利用し、アップリンク上ではシングルキャリア周波数分割多重化（ＳＣ−ＦＤＭ）を利用する。ＯＦＤＭおよびＳＣ−ＦＤＭは、システム帯域幅を、一般にトーン、ビン、または他の用語でも呼ばれる複数（Ｋ）個の直交サブキャリアに分割する。各サブキャリアはデータで変調され得る。一般に、変調シンボルは、ＯＦＤＭでは周波数領域で、およびＳＣ−ＦＤＭでは時間領域で送られる。隣接するサブキャリア間の間隔は固定されてよく、サブキャリアの総数（Ｋ）はシステム帯域幅に依存し得る。たとえば、Ｋは、それぞれ１．２５、２．５、５、１０または２０メガヘルツ（ＭＨｚ）のシステム帯域幅に対して、１２８、２５６、５１２、１０２４または２０４８に等しくてよい。システム帯域幅は、サブバンドにも分割され得る。たとえば、サブバンドは１．０８ＭＨｚをカバーでき、１．２５、２．５、５、１０、または２０ＭＨｚのシステム帯域幅に対して、それぞれ１つ、２つ、４つ、８つ、または１６個のサブバンドがあり得る。ＬＴＥは、たとえばフレーム、サブフレーム、およびＬＴＥのための公開された基準によって定義されるチャネルなど、定義された無線リンク機能を利用することができる。たとえば、ＬＴＥにおける様々な信号およびチャネルは、公開されている「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；  Ｐｈｙｓｉｃａｌ  Ｃｈａｎｎｅｌｓ  ａｎｄ  Ｍｏｄｕｌａｔｉｏｎ」と題する３ＧＰＰ  ＴＳ  ３６．２１１に記載されている。
【００２６】
[0034]図２は、異なる無線リンクを使用してｅＮＢ２０２と通信する異なる機能の複数のＵＥを含むシステム２００を示す。ＬＴＥまたは他のワイヤレス技術は、基地局とＵＥとの間の無線リンクを構成する複数の方法を含むことができる。そのような方法は、ＬＴＥまたは他の無線アクセス技術の高度機能と呼ばれ得、適用可能な無線アクセス技術下での無線リンクについて任意選択である。したがって、基地局は、高度機能の有無にかかわらず無線リンクを構成するように装備されなければならない。高度機能は、特定の無線アクセス技術（ＲＡＴ）に関し得、複数のＲＡＴまたはＲＡＴ間の実装形態に関連した機能を除外し得る。他の別の実施形態では、高度機能は、複数のＲＡＴまたはＲＡＴ間の実装形態の機能を含み得る。
【００２７】
[0035]たとえば、通常の無線リンク２１４、すなわち高度機能を使用しない無線リンクを介して通信する非対応のＵＥ２１０など、いくつかのＵＥは、高度機能を使用して通信することができない場合がある。ＬＴＥの高度機能は、たとえば、キャリアアグリゲーションを含み得、ここにおいて、ＵＥ、たとえばＣＡ対応ＵＥ２０６は、無線リンク２１６における２つ以上のキャリアの集約をサポートする。さらなる例では、高度機能は、協調マルチポイント伝送（ＣｏＭＰ）を含み得、ここにおいて、ＣｏＭＰ対応ＵＥ２０８は、２つ以上のセルによって、たとえば、基地局２０２および別の基地局２０４によって無線リンク２１８を使用して支援され得る。基地局２０２、２０４は互いに地理的に分離され得る。Ｘ２インターフェースは基地局２０２、２０４を互いに接続し得る。基地局２０２、２０４は、無線リンク２１８を介したＵＥ２０８とのＣｏＭＰ送信／受信に関与し得る。たとえば、無線リンクの他の潜在的な機能には、たとえば、干渉除去機能、マルチクラスタリソース割振り機能、またはパラレルアップリンク制御およびデータ伝送機能を含み得る。
【００２８】
[0036]ＣＡ、ＣｏＭＰ、および他の無線リンク技術の態様は、本明細書では「ＵＥカテゴリ」と呼ばれる、異なる無線リンク構成を定義するために使用され得る。ＵＥカテゴリは、たとえば、定義されたピークデータレート、ダウンリンク（ＤＬ）層の最大数、アップリンク（ＵＬ）層の最大数、ＣＡにおけるキャリアの最大数、または前述の態様のいくつかの組合せなど、（ＵＥのアップリンクおよびダウンリンク機能など）無線リンクの１つまたは複数の属性によって定義され得る。カテゴリは、相対的なリソース割振りに基づいて「より高い」または「より低い」として特徴付けられ得る。たとえば、２キャリアＣＡ無線リンクは、４キャリアＣＡ無線リンクよりも低い、および単一キャリアリンクよりも高いカテゴリと同様に説明され得る。
【００２９】
[0037]一般に、高度機能はエンドユーザには有益であるが、いくつかの状況では、高度機能を使用することができるＵＥは、一時的な期間の間、高度機能のうちの１つまたは複数が供給されないことを要求し得る。たとえば、電力制限の状態に遭遇したとき、ＵＥは、電力を節約するためにＣＡリンクを使用してサービスされないことを望む場合がある。キャリアアグリゲーションでのＵＥは、データ復調、チャネル情報フィードバック、または他の信号のために２つ以上のキャリアを監視することを必要とし得、これは、単一のキャリアを扱うよりも多くの処理電力を消費する。同様に、無線リンクのためにＣｏＭＰを使用することができるＵＥは、少なくとも一時的な期間の間、ＣｏＭＰ動作に置かれないことを望み得る。電力節約または他の理由のためにＵＥが制御することが有益であり得る無線リンク機能の他の例には、ダウンリンク（ＤＬ）ＭＩＭＯ、アップリンク（ＵＬ）ＭＩＭＯ、またはその両方、マルチクラスタアップリンクリソース割振り、あるいは干渉除去についての制限されたランクの高いカテゴリＵＥをスケジューリングすることを含み得る。ＵＥが無線リンクの制限された機能の組を示す理由には、たとえば、残り少ないバッテリー電力状況、現在の電源の状況（たとえば、プラグが差し込まれている、またはプラグが抜かれた）、エンドユーザの選好、または過剰の計算リソースを消費する競合する処理要求があり得る。
【００３０】
[0038]いくつかの設計では、ｅＮＢは、機能制限をサポートするかどうかにかかわらず、指示をブロードキャストすることができる。他の設計では、ＵＥは、ｅＮＢが機能制限をサポートしているかどうかを決定することができる。したがって、ＵＥ２１２は、１つまたは複数の無線リンク機能をサポートすることができるが、ｅＮＢに対する無線リンク２２０が１つまたは複数の指定された特徴を使用するのを制限されることをＵＥが要求することを、ｅＮＢ２０２に示すことができる。たとえば、ＵＥは、さらに通知があるまで、時間の期間の期限切れまで、またはネットワークへのＵＥ再接続など何らかの定義された将来のイベントまで、ＣＡが制限されなければならないことを示し得る。指示は、「不必要な」機能、すなわち、ＵＥが制限されることを要求している機能を識別するリストの形で提供され得る。任意選択で、ＵＥは、特徴を制限する要求に関連して、たとえば、電力制約、処理制約、またはユーザ入力など、要求するための理由を提供することもできる。
【００３１】
[0039]ＵＥ２１２から要求を受信することに応答して、ｅＮＢ２０２は、たとえば、要求に応え、制限された状態で無線リンク２１２にサービスすることによって、ＵＥの指示に基づいて自動的に行動することができる。代わりに、または加えて、ｅＮＢ２０２は、１つまたは複数のシステム基準に基づいて、制限された無線リンクの要求に応えるべきかどうかを決定することができる。ｅＮＢ２０２は、ＵＥ２１２にその決定の結果を示す、または結果を示すことを控えることができる。ＵＥ制限要求に応えることをｅＮＢが決定した場合、ｅＮＢは、ある時間期間の間、またはさらに通知があるまで、制限された機能を使用してＵＥのサービスまたはスケジュールを行わない。それにもかかわらずｅＮＢがＵＥに制限された機能を誤ってサービスする場合、ＵＥは、望ましくない機能の伴うサービスを拒絶することができる。一方、ＵＥ制限要求に応えないことをｅＮＢが決定した場合、ｅＮＢは、要求された制限された機能を使用して対応するＵＥにサービスする。ｅＮＢが要求を拒否した場合、ＵＥは、非効率的に高いレートで反復される要求を生成することによって、システムの非効率性が生じることを回避するための制限を前提として、追加の要求を送ることができる。さらに、ＵＥ２１２は、基地局２０２に対して要求のその理由の指示を送ることができ、基地局は、要求に応えるべきかどうかの再決定に指示を含めることができる。
【００３２】
[0040]無線リンク２２０を制限する旨のＵＥ２１２の要求は、無線リソース制御（ＲＲＣ）シグナリングまたは媒体アクセス制御（ＭＡＣ）データ要素を使用して示され得る。特定の接続の間の頻繁なシグナリングは、通常、必要ではない場合がある。ＵＥは、ＵＥ状況またはユーザ入力を検出することに応答して自律的に要求を送ることができ、または、たとえばＵＥが構成される、許可される、またはスケジュールされるときに応答して、イベントトリガされ得る。隣接セルに対するハンドオーバの場合、ソースｅＮＢ２０２は、ターゲットｅＮＢに無線リンク２２０の制限された機能の指示を提供することができる。制限の期間は、不明確でもよく、または明確でもよい。制限  が除去されることをＵＥが要求するまで、無期限の期間の制限が持続し得る。明確な期間の制限は、たとえば、ＵＥが、明確な時間期間の間、周期的にクライアントリソースを異なる機能にコミットできるようにするために、指定された期間の間持続するように定義され得る。
【００３３】
[0041]図３は、基地局／ｅＮＢ  １１０およびＵＥ  １２０の設計を示すブロック図を示し、図１または図２の基地局／ｅＮＢの１つおよびＵＥの１つであり得る。基地局１１０は、アンテナ３３４Ａ〜３３４Ｔを備えてよく、ＵＥ  １２０は、アンテナ３５２Ａ〜３５２Ｒを備えてよい。
【００３４】
[0042]基地局１１０において、送信プロセッサ３２０は、データソース３１２からデータを受信し、コントローラ／プロセッサ３４０から制御情報を受信することができる。プロセッサ３２０は、データと制御情報とを処理（たとえば、符号化およびシンボルマッピング）して、データシンボルと制御シンボルとをそれぞれ得ることができる。プロセッサ３２０はまた、基準シンボルとセル固有基準信号とを生成することができる。送信（ＴＸ）多入力多出力（ＭＩＭＯ）プロセッサ３３０は、可能な場合、データシンボル、制御シンボル、および／または基準シンボルに対して空間処理（たとえば、プリコーディング）を実行することができ、出力シンボルストリームを変調器（ＭＯＤ）３３２Ａ〜３３２Ｔに与えることができる。各変調器３３２は、（たとえば、ＯＦＤＭまたは他の方法などの）それぞれの出力シンボルストリームを処理して、出力サンプルストリームを得ることができる。各変調器３３２はさらに、出力サンプルストリームを処理（たとえば、アナログへの変換、増幅、フィルタリング、およびアップコンバート）して、ダウンリンク信号を得ることができる。変調器３３２Ａ〜３３２Ｔからのダウンリンク信号は、それぞれアンテナ３３４Ａ〜３３４Ｔを介して送信され得る。
【００３５】
[0043]ＵＥ  １２０において、アンテナ３５２Ａ〜３５２Ｒは、基地局１１０からダウンリンク信号を受信することができ、受信された信号をそれぞれ復調器（ＤＥＭＯＤ）３５４Ａ〜３５４Ｒに与えることができる。各復調器３５４は、それぞれの受信された信号を調整（たとえば、フィルタリング、増幅、ダウンコンバート、およびデジタル化）して、入力サンプルを得ることができる。各復調器３５４はさらに、（たとえば、ＯＦＤＭまたは他の方法などの）入力サンプルを処理して、受信シンボルを得ることができる。ＭＩＭＯ検出器３５６は、すべての復調器３５４Ａ〜３５４Ｒから受信シンボルを得て、可能な場合は受信シンボルに対してＭＩＭＯ検出を実行し、検出されたシンボルを与えることができる。受信プロセッサ３５８は、検出されたシンボルを処理（たとえば、復調、デインターリーブ、および復号）し、ＵＥ  １２０の復号されたデータをデータシンク３６０に与え、復号された制御情報をコントローラ／プロセッサ３８０に与えることができる。
【００３６】
[0044]アップリンク上では、ＵＥ  １２０において、送信プロセッサ３６４は、データソース３６２から（たとえば、ＰＵＳＣＨのための）データを受信して処理でき、コントローラ／プロセッサ３８０から（たとえば、ＰＵＣＣＨのための）制御情報を受信し処理できる。プロセッサ３６４はまた、基準信号のための基準シンボルを生成することができる。送信プロセッサ３６４からのシンボルは、可能な場合、ＴＸ  ＭＩＭＯプロセッサ３６６によってプリコードされ、さらに（たとえば、ＳＣ−ＦＤＭまたは他の方法などのために）変調器３５４Ａ〜３５４Ｒによって処理され、基地局１１０に送信され得る。基地局１１０において、ＵＥ  １２０からのアップリンク信号は、アンテナ３３４によって受信され、復調器３３２によって処理され、可能な場合、ＭＩＭＯ検出器３３６によって検出され、さらに受信プロセッサ３３８によって処理されて、ＵＥ  １２０によって送られた復号されたデータと制御情報とを得ることができる。プロセッサ３３８は、復号されたデータをデータシンク３３９に与え、復号された制御情報をコントローラ／プロセッサ３４０に与えることができる。
【００３７】
[0045]コントローラ／プロセッサ３４０および３８０は、それぞれ基地局１１０およびＵＥ  １２０における動作を指示することができる。基地局１１０にあるプロセッサ３４０ならびに／または他のプロセッサおよびモジュールは、たとえば、図６〜図８に関連して説明するように、本明細書に記載された技法のための様々なプロセスを実行するか、またはその実行を指示することができる。ＵＥ  １２０におけるプロセッサ３８０ならびに／または他のプロセッサおよびモジュールは、図１０〜図１２に例示されている機能ブロックおよび／または本明細書で説明されている技法のための他の処理を実行することができ、またはその実行を指示することができる。メモリ３４２および３８２は、それぞれ基地局１１０およびＵＥ  １２０のためのデータとプログラムコードとを記憶することができる。スケジューラ３４４は、ダウンリンク上および／またはアップリンク上でのデータ送信のためにＵＥをスケジューリングすることができる。
【００３８】
[0046]一態様では、ワイヤレス通信のための基地局１１０は、モバイルエンティティが、モバイルエンティティから無線リンク構成のうちの少なくとも１つの使用を制限する旨の要求を受信するための手段に結合された、１組の無線リンク構成を使用して１つまたは複数の基地局と通信することができることを決定するための手段を含む。基地局１１０は、モバイルエンティティから、無線リンク構成のうちの少なくとも１つの使用を制限する旨の要求を受信するための手段をさらに含み得る。一態様では、前述の手段は、前述の手段によって列挙されている機能を実行するように構成された、プロセッサと、コントローラ／プロセッサ３４０と、メモリ３４２と、受信プロセッサ３２０と、ＴＸ  ＭＩＭＯ検出器３３０と、変調器３３２Ａと、アンテナ３３４Ａとを含み得る。別の態様では、上述の手段は、上述の手段によって列挙される機能を実行するように構成されたモジュールまたは任意の装置であり得る。
【００３９】
[0047]別の態様では、ワイヤレス通信のために１組の無線リンク構成を使用して１つまたは複数の基地局と通信することができるＵＥ  １２０は、基地局に無線リンク構成のうちの少なくとも１つの使用を制限する旨の要求を送るための手段に結合された、無線リンク構成のうちの少なくとも１つの使用を制限するべきであることを決定するための手段を含む。ＵＥ  １２０は、無線リンクを使用して基地局と通信するための手段をさらに含み得、ここにおいて、要求に基づいて、無線リンク構成のうちの少なくとも１つの使用が制限される。一態様では、前述の手段は、前述の手段によって列挙されている機能を実行するように構成された、プロセッサと、コントローラ／プロセッサ３８０と、メモリ３８２と、受信プロセッサ３５８と、ＭＩＭＯ検出器３５６と、復調器３５４Ａと、アンテナ３５２Ａとを含み得る。別の態様では、上述の手段は、上述の手段によって列挙される機能を実行するように構成されたモジュールまたは任意の装置であり得る。
【００４０】
[0048]ＬＴＥにおける高度無線リンク機能の一例として、ＬＴＥ−ＡｄｖａｎｃｅｄのＵＥは、キャリアアグリゲーションにおいて使用されるコンポーネントキャリアに割振られた２０ＭＨｚの帯域幅の中のスペクトルを、各方向への送信のために使用される最大で合計１００ＭＨｚの帯域幅（５個のコンポーネントキャリアを使用する）について、使用することができる。一般に、ダウンリンクよりもアップリンクで送信されるトラフィックの方が少ないので、アップリンクのスペクトル割当てはダウンリンクの割当てよりも少なくてよい。たとえば、２０ＭＨｚがアップリンクに割り当てられる場合、ダウンリンクは１００ＭＨｚを割り当てられ得る。これらの非対称なＦＤＤ割当てはスペクトルを節約し、通常は非対称であるブロードバンド加入者による帯域幅の利用率に対してよく適合する。
【００４１】
[0049]ＬＴＥ−Ａｄｖａｎｃｅｄモバイルシステムでは、連続ＣＡと非連続ＣＡという２つのタイプのキャリアアグリゲーション（ＣＡ）が提案されている。これらは、図４および図５に示されている。非連続ＣＡは、複数の利用可能なコンポーネントキャリア５００が図５によって示されるように周波数帯に沿って分かれている場合に、行われる。一方、連続ＣＡは、複数の利用可能なコンポーネントキャリア４００が図４によって示されるように互いに隣接している場合に、行われる。非連続ＣＡと連続ＣＡの両方が、ＬＴＥ  ＡｄｖａｎｃｅｄのＵＥの単一のユニットとして機能するように複数のＬＴＥ／コンポーネントキャリアを集約するために使用され得る。ＬＴＥ−ＡｄｖａｎｃｅｄのＵＥでは、キャリアが周波数帯に沿って分かれているので、複数の高周波受信ユニットおよび複数の高速フーリエ変換（ＦＦＴ）が、非連続ＣＡとともに展開され得る。非連続ＣＡは、広い周波数範囲にわたる複数の分かれたキャリア上でのデータ送信をサポートするので、伝搬経路損失、ドップラーシフト、および他の無線チャネル特性が、異なる周波数帯ではかなり変動し得る。
【００４２】
[0050]したがって、非連続ＣＡの手法のもとでブロードバンドデータ送信をサポートするために、異なるコンポーネントキャリアに対する符号化、変調、および送信電力を適応的に調整するための方法が使用され得る。たとえば、ｅｎｈａｎｃｅｄ  ＮｏｄｅＢ（ｅＮＢ）が各コンポーネントキャリア上で一定の送信電力を有するＬＴＥ−Ａｄｖａｎｃｅｄシステムでは、各コンポーネントキャリアの実効カバレッジまたはサポート可能な変調および符号化が、異なり得る。連続および非連続のＣＡは、ＵＥで増加する処理および電力リソースを必要とし得る。したがって、ＵＥは、それがＣＡの使用を制限するための理由を検出すると、利用可能なキャリアの総数未満の何らかの数に、使用されるキャリアの数を制限することができる。たとえば、ＵＥは、リンクが単一のキャリアに制限されることを要求することができる。
【００４３】
[0051]本明細書で図示および説明された例示的なシステムを考慮すれば、開示される主題に従って実装され得る方法は、様々なフローチャートを参照すればより良く理解されよう。説明を簡単にするために、方法は一連の行為／ブロックとして図示および説明されるが、いくつかのブロックは、本明細書で図示および説明される順序とは異なる順序で、および／または他のブロックと実質的に同時に行われ得るので、特許請求される主題はブロックの数または順序によって限定されない。さらに、本明細書で説明される方法を実装するために、図示されたすべてのブロックが必要とされるとは限らない。ブロックに関連する機能は、ソフトウェア、ハードウェア、それらの組合せまたは任意の他の適切な手段（たとえば、デバイス、システム、プロセス、またはコンポーネント）によって実装され得ることを諒解されたい。加えて、本明細書の全体にわたって開示される方法は、そのような方法を様々なデバイスに移送および転送することを容易にする製品に、符号化された命令および／またはデータとして記憶することが可能であることをさらに諒解されたい。方法は、代替的に、状態図のような、一連の相互に関係する状態または事象として表現され得ることを、当業者は理解し諒解するであろう。
【００４４】
[0052]図６は、ワイヤレス通信システムのネットワークエンティティにおける無線リンク機能のＵＥ支援管理のための方法６００を示す。ネットワークエンティティは、ｅＮＢ、またはワイヤレス通信ネットワークの他の基地局（たとえば、フェムトノードまたは他のスモールセルなど）であってよい。方法６００は、６１０で、モバイルエンティティが１組の無線リンク構成を使用して１つまたは複数の基地局と通信することができることを決定することを含み得る。本明細書のどこかでより詳細に述べられるように、無線リンク構成の組は、ＬＴＥまたは類似の無線アクセス技術の高度機能を含むことができる。無線リンク構成は、特定の無線アクセス技術を使用したリンクに関し得、モバイルエンティティで複数のＲＡＴ機能を実装するための特徴を除外することができる。
【００４５】
[0053]方法６００は、６２０で、モバイルエンティティから基地局で、無線リンク構成のうちの少なくとも１つの使用を制限する旨の要求を受信することをさらに含み得る。要求は、たとえば、ＲＲＣ信号またはＭＡＣ要素または物理的な制御チャネルにおいて受信され得、無線リンクに適用される指示（たとえば、リスト）または１つまたは複数の制限を含むことができる。
【００４６】
[0054]方法６００は、６３０で、要求に基づいて、モバイルエンティティと通信するための無線リンク構成のうちの少なくとも１つの使用を制限することをさらに含み得る。たとえば、基地局は、自動的に要求に応え、次いで、要求された制限に従って要求側モバイルエンティティとの無線リンクを構成することができる。代替形態では、基地局は、システムパラメータに基づいて要求に応えるべきかどうかを決定し、決定が正の場合のみ、要求された制限とのリンクを構成することができる。制限することは、無線リンク構成または関連する機能の使用を部分的に使用不能にする、または防止することを含み得る。
【００４７】
[0055]要素６４０および６５０は、無線リンクに対する制限の期間を制御することの任意選択の代替である。方法６００は、表された代替に限定されず、いずれの代替６４０または６５０も含まずに実行され得る。一代替形態では、方法６００は、６４０で、無線リンク構成のうちの少なくとも１つは非制限であることを要求する第２の要求をモバイルエンティティから受信し、その後、第２の要求に基づいて、モバイルエンティティと通信するための無線リンク構成のうちの少なくとも１つを使用することを含み得る。制限が除去されることをＵＥが要求するまで、無線リンクの制限の無期限の期間を提供するために、動作６４０が実行され得る。別の代替形態では、方法は、６５０で、要求から使用を制限するための期間を決定し、期間の期限切れに基づいて使用の制限を終了することを含むことができる。動作６５０は、たとえば明確な期間の間、タスクへのＵＥリソースの割振りを容易にするために、制限のための明確な期間をサポートするために実行され得る。
【００４８】
[0056]図７〜図８は、ワイヤレス通信システムのネットワークエンティティにおける無線リンク機能のＵＥ支援管理のための方法６００とともに、基地局によって実行され得るさらなる任意選択の動作または態様７００、８００を示す。図７〜図８に示される動作は、方法６００を実行するために必要とされない。動作７００および８００は、独立に実行され、ブロックから反対側の分岐に位置しない限り一般に相互に排他的ではない。別の下流の動作または上流の動作が実行されるかどうかにかかわらず、そのような独立で相互に排他的ではない動作のうちのいずれか１つが実行され得る。方法６００が、図７〜図８の少なくとも１つの動作を含む場合、方法６００は、必ずしも、図示され得るいかなる後続の（１つまたは複数の）下流の動作を含む必要なく、少なくとも１つの動作の後に終了し得る。逆に、ブロックの反対側の分岐上に直接位置する動作は、方法の任意の特定の例において相互に排他的な選択肢であり得る。
【００４９】
[0057]図７を参照すると、方法６００は、追加の動作７００のうちの１つまたは複数を含み得る。たとえば、方法６００は、７１０で、基地局が、要求に関してモバイルエンティティから受信される情報に基づいて、無線リンクの使用を制限するための理由を決定することをさらに含むことができる。たとえば、基地局は、ＲＲＣもしくはＭＡＣ情報要素または制限要求を含む物理的な制御チャネルを受信することができ、さらに、要求の１つまたは複数の理由の指示を識別するために情報を処理する。制限を要求するための理由の例には、たとえば、電力節約、処理電力節約（競合するプロセスのため、または電力を保持するために）またはユーザ選好があり得る。方法６００は、７２０で、その理由に少なくとも一部基づいて、要求に応えるべきかどうかを決定することをさらに含み得る。たとえば、システムまたはセルの状況に応じて、基地局は、他の理由のためでなく電力節約のための要求に応えることができる。方法６００は、７３０で、モバイルエンティティの要求に応えるかどうかを決定することの結果を示すことをさらに含み得る。次いで、モバイルエンティティは、適切に決定に応答することができ、たとえば、無線リンクにおける高度機能を引き続き使用する、または使用を制限する準備をする。代替形態では、基地局は、結果の任意の指示をモバイルエンティティに提供しない場合がある。
【００５０】
[0058]図８を参照すると、方法６００の一態様は、８１０で、キャリアアグリゲーション（ＣＡ）、協調マルチポイント伝送（ＣｏＭＰ）、ダウンリンク層の最大数、アップリンク層の最大数、キャリアの最大数、干渉除去機能、マルチクラスタリソース割振り機能、パラレルアップリンク制御およびデータ伝送機能、またはＵＥのカテゴリのうちの１つもしくは複数を含む無線リンク構成の組を含み得る。無線リンク構成の組は、高度なＬＴＥ機能および／または高度な機能の、もしくは非高度な（通常の）機能のより詳細なパラメータを含むことができる。
【００５１】
[0059]方法６００の別の態様では、８２０で、制限を実行することは、任意選択で、ＵＥを第１のＵＥカテゴリからの第１のＵＥカテゴリよりも低い第２のＵＥカテゴリに制限することを含む。ＵＥカテゴリは、たとえば、定義されたピークデータレート、ダウンリンク層の最大数、アップリンクキャリアの最大数、ＣＡにおけるキャリアの最大数、または前述の態様のいくつかの組合せなど、無線リンクの１つまたは複数の属性によって定義され得る。カテゴリは、相対的なリソースの使用に基づいて「より高い」または「より低い」として特徴付けられ得る。
【００５２】
[0060]図９を参照すると、ワイヤレス通信システムのネットワークエンティティでの無線リンク機能のＵＥ支援管理のための、ワイヤレスネットワーク中の基地局として、あるいは基地局内で使用するためのプロセッサまたは同様のデバイスとして構成され得る例示的な装置９００が与えられている。装置９００は、プロセッサ、ソフトウェア、またはこれらの組合せ（たとえば、ファームウェア）によって実装される機能を表し得る機能ブロックを含み得る。
【００５３】
[0061]図示するように、一実施形態では、装置９００は、モバイルエンティティが１組の無線リンク構成を使用する１つまたは複数の基地局と通信することができることを決定するための電気コンポーネント、モジュール、または手段９０２を含むことができる。たとえば、電気コンポーネントまたは手段９０２は、送受信機９１４などに結合され、モバイルエンティティの機能を決定するための命令を受信するための命令を有するメモリ９１６に結合された、少なくとも１つの制御プロセッサ９１０を含み得る。制御プロセッサ９１０は、メモリコンポーネント９１６においてプログラム命令として保持され得る、アルゴリズムを動作させることができる。アルゴリズムは、たとえば、モバイルエンティティから信号を受信し、あらかじめ定められた通信プロトコルによる、ＣＡ、ＣｏＭＰ、ダウンリンク層の最大数、アップリンク層の最大数、キャリアの最大数、干渉除去機能、マルチクラスタリソース割振り機能、パラレルアップリンク制御およびデータ伝送機能、またはＵＥのカテゴリのうちの１つもしくは複数を使用するために、モバイルエンティティの機能を発見するための信号を処理することを含み得る。
【００５４】
[0062]装置９００は、モバイルエンティティから、無線リンク構成のうちの少なくとも１つの使用を制限する旨の要求を受信するための電気コンポーネントまたは手段９０４を含み得る。たとえば、電気コンポーネントまたは手段９０４は、送受信機９１４などに結合され、指定された機能を制限する旨の要求を示すモバイルエンティティからの信号を受信するための命令を保持するメモリ９１６に結合された、少なくとも１つの制御プロセッサ９１０を含み得る。制御プロセッサ９１０は、メモリコンポーネント９１６においてプログラム命令として保持され得る、アルゴリズムを動作させることができる。アルゴリズムは、たとえば、モバイルエンティティから信号を受信し、無線リンク構成の特定の制限を示すモバイルエンティティからの要求を識別するために信号を処理することを含み得る。
【００５５】
[0063]この装置９００は、要求に基づいて、モバイルエンティティと通信するための無線リンク構成のうちの少なくとも１つの使用を制限するための電気コンポーネントまたは手段９０６を含み得る。たとえば、電気コンポーネントまたは手段９０６は、送受信機９１４などに結合され、１つまたは複数の高度機能が制限された状態でモバイルエンティティとの無線リンクを構成するための命令を保持するメモリ９１６に結合された、少なくとも１つの制御プロセッサ９１０を含み得る。制御プロセッサ９１０は、メモリコンポーネント９１６においてプログラム命令として保持され得る、アルゴリズムを動作させることができる。アルゴリズムは、たとえば、モバイルエンティティとの無線リンクを構成することを含み得、ここにおいて、ＣＡ、ＣｏＭＰ、ダウンリンク層の最大数、アップリンク層の最大数、キャリアの最大数、干渉除去機能、マルチクラスタリソース割振り機能、パラレルアップリンク制御およびデータ伝送機能のうちの１つもしくは複数が制限されている（たとえば、少なくとも部分的に使用不能である、または使用されていない）、またはＵＥのカテゴリがより低いレベルに制限されている。装置９００は、説明を簡単にするために図９に示されない、図７〜図８に関連して説明された追加の動作７００または８００のいずれかまたはすべてを実行するための同様の電気コンポーネントを含み得る。
【００５６】
[0064]関連する態様では、ネットワークエンティティとして構成された装置９００の場合、装置９００は、少なくとも１つのプロセッサを有するプロセッサコンポーネント９１０を任意選択で含み得る。プロセッサ９１０は、そのような場合、バス９１２または同様の通信結合を介してコンポーネント９０２〜９０６または同様のコンポーネントと動作可能に通信し得る。プロセッサ９１０は、電気コンポーネント９０２〜９０６によって実行される処理または機能の起動とスケジューリングとを実施し得る。プロセッサ９１０は、全体的にまたは部分的に、コンポーネント９０２〜９０６を包含し得る。代替的に、プロセッサ９１０は、１つまたは複数の別個のプロセッサを含み得るコンポーネント９０２〜９０６とは別個であり得る。
【００５７】
[0065]さらなる関連する態様では、装置９００は、無線送受信機コンポーネント９１４を含み得る。送受信機９１４の代わりに、または送受信機９１４とともに、スタンドアロン受信機および／またはスタンドアロン送信機が使用され得る。代替的に、または加えて、装置９００は、異なるキャリア上で送信および受信するために使用され得る、複数の送受信機または送信機／受信機ペアを含み得る。装置９００は、たとえば、メモリデバイス／コンポーネント９１６のような、情報を記憶するためのコンポーネントを任意選択で含み得る。コンピュータ可読媒体またはメモリコンポーネント９１６は、バス９１２などを介して装置９００の他のコンポーネントに動作可能に結合され得る。メモリコンポーネント９１６は、コンポーネント９０２〜９０６、およびそれらのサブコンポーネント、またはプロセッサ９１０、追加の態様７００もしくは８００、または本明細書で開示される方法の活動を実行するための、コンピュータ可読命令とデータとを記憶するように適合され得る。メモリコンポーネント９１６は、コンポーネント９０２〜９０６に関連する機能を実行するための命令を保持し得る。メモリ９１６の外部にあるものとして示されているが、コンポーネント９０２〜９０６はメモリ９１６の内部に存在してよいことを理解されたい。
【００５８】
[0066]方法６００を実行する基地局と通信するモバイルエンティティは、図１０に示すように、ワイヤレス通信システムのモバイルエンティティにおいて、無線リンク機能のＵＥ支援管理のための方法１０００を実行することができる。モバイルエンティティは、本明細書で説明される様々な形式のいずれかのエンティティ、たとえばＵＥを備え得る。方法１０００は、１０１０で、１組の無線リンク構成を使用して１つまたは複数の基地局と通信することができるモバイルエンティティで、無線リンク構成のうちの少なくとも１つの使用が制限されるべきであること（たとえば、少なくとも部分的に使用不可、または使用されない）を決定することを含み得る。決定することは、たとえば、電力リソースもしくは処理リソースの状態に基づき得る、またはユーザ入力を介して受信されたユーザ選好に応答し得る。
【００５９】
[0067]方法１０００は、１０２０で、モバイルエンティティから基地局に、無線リンク構成のうちの少なくとも１つの使用を制限する旨の要求を送ることをさらに含み得る。方法１０００は、１０３０で、無線リンクを使用して基地局と通信することをさらに含み得、ここにおいて、要求に基づいて、無線リンク構成のうちの少なくとも１つの使用が制限される。
【００６０】
[0068]要素１０４０および１０６５０は、無線リンクに対する制限の期間を制御することの任意選択の代替である。方法１０００は、表された代替に限定されず、いずれの代替１０４０または１０５０も含まずに実行され得る。一代替形態では、方法１０００は、１０４０で、無線リンク構成のうちの少なくとも１つは非制限であることを要求する第２の要求を基地局に送り、その後、第２の要求に基づいて、基地局と通信するための無線リンク構成のうちの少なくとも１つを使用することを含み得る。制限が除去されることをＵＥが要求するまで、無線リンクの制限の無期限の期間を要求するために、動作１０４０が実行され得る。別の代替形態では、方法は、６５０で、要求に関連して使用を制限するための期間を指定し、無線リンクを使用して基地局との通信を実行することを含み得、ここにおいて、期間が期限切れになるまで、無線リンク構成のうちの少なくとも１つの使用が制限される。動作６５０は、たとえば明確な期間の間、タスクへのＵＥリソースの割振りを容易にするために、制限のための明確な期間をサポートするために実行され得る。代替的に、制限は、従属するサブフレームとすることができる。すなわち、サブフレームの第１の組で、制限は適用され得、一方、サブフレームの第２の組では、制限は適用されない。第１のサブフレームおよび第２のサブフレームはインターリーブされ得る。たとえば、制限は、奇数のサブフレーム（たとえば、１、３、５、…）に適用され、偶数のサブフレーム（たとえば、２、４、６、…）には解除され得る。
【００６１】
[0069]図１１〜図１２はさらに、方法１０００とともにモバイルエンティティによって実行され得る、任意選択の動作または態様１１００と、１２００とを示す。図１１〜図１２に示される動作は、方法１０００を実行するために必要とされない。上流のブロックの反対側の分岐オフ上に直接位置しない限り、動作は独立に実行され、相互に排他的ではない。したがって、別の下流の動作または上流の動作が実行されるかどうかにかかわらず、そのような動作のうちのいずれか１つが実行され得る。方法１０００が図１１〜図１２の少なくとも１つの動作を含む場合、方法１０００は、必ずしも、図示され得るいかなる後続の（１つまたは複数の）下流の動作をも含む必要なく、少なくとも１つの動作の後に終了し得る。逆に、ブロックの反対側の分岐上に直接位置する動作は、方法の任意の特定の例において相互に排他的な選択肢であり得る。
【００６２】
[0070]図１１を参照すると、方法１０００は、追加の動作１１００の１つまたは複数を含み得る。方法１０００は、１１１０で、要求に関連して無線リンク構成のうちの少なくとも１つの使用を制限するための理由を含むモバイルエンティティをさらに含み得る。方法１０００は、１１２０で、その理由に少なくとも一部基づいて、無線リンク構成のうちの少なくとも１つの使用は制限されるべきであることを決定することを実行することをさらに含み得る。方法１０００は、１１３０で、基地局が要求に応えているかどうかを示す指示を基地局から受信することをさらに含み得る。代替形態では、移動局は、基地局が要求に応えているかどうかの任意の指示を受信しない場合がある。
【００６３】
[0071]図１２を参照すると、方法１０００は、追加の動作１２００の１つまたは複数を含み得る。方法１０００の一態様では、１２１０で、無線リンク構成の組は、ＣＡ、ＣｏＭＰ、ダウンリンク層の最大数、アップリンク層の最大数、キャリアの最大数、干渉除去機能、マルチクラスタリソース割振り機能、パラレルアップリンク制御およびデータ伝送機能、またはＵＥのカテゴリのうちの１つもしくは複数を含み得る。方法１０００の別の態様では、１２００で、使用を制限する旨の要求は、ＵＥを第１のＵＥカテゴリから第１のＵＥカテゴリよりも低い第２のＵＥカテゴリに制限することを含み得る。
【００６４】
[0072]図１３を参照すると、ワイヤレス通信システムのモバイルエンティティにおける無線リンク機能のＵＥ支援管理のための、ワイヤレスネットワーク中のモバイルエンティティまたはＵＥとして、またはＭＥまたはＵＥ内で使用するためのプロセッサまたは同様のデバイスとして構成され得る、例示的な装置１３００が提供される。装置１３００は、プロセッサ、ソフトウェア、またはこれらの組合せ（たとえば、ファームウェア）によって実装される機能を表し得る機能ブロックを含み得る。
【００６５】
[0073]一実施形態では、装置１３００は、１組の無線リンク構成を使用して１つまたは複数の基地局と通信することができるモバイルエンティティで、無線リンク構成のうちの少なくとも１つの使用が制限されるべきであること（たとえば、少なくとも部分的に使用不可、または使用されない）を決定するための電気コンポーネント、手段、またはモジュール１３０２を含み得る。たとえば、電気コンポーネント１３０２は、送受信機１３１４などに結合され、無線リンク構成の使用を制限するべきかどうかおよび／または制限すべきときを決定するための命令を有するメモリ１３１６に結合された、少なくとも１つの制御プロセッサ１３１０を含み得る。制御プロセッサ１３１０は、メモリコンポーネント１３１６においてプログラム命令として保持され得る、アルゴリズムを動作させることができる。アルゴリズムは、たとえば、電力または処理リソースの状態、電力または処理リソースの将来の需要の見込み、またはユーザ入力を監視し、無線リンクがリソースを節約するために制限されなければならないことを決定することを含み得る。
【００６６】
[0074]装置１３００は、無線リンク構成要素のうちの少なくとも１つの使用を制限する旨の要求を基地局に送るための電気コンポーネント１３０４を含み得る。たとえば、電気コンポーネント１３０４は、送受信機１３１４などに結合され、識別された高度機能または無線リンクパラメータを制限する旨の要求を提供するための命令を保持するメモリ１３１６に結合された、少なくとも１つの制御プロセッサ１３１０を含み得る。制御プロセッサ１３１０は、メモリコンポーネント１３１６においてプログラム命令として保持され得る、アルゴリズムを動作させることができる。アルゴリズムは、たとえば、ＣＡ、ＣｏＭＰ、ダウンリンク層の最大数、アップリンク層の最大数、キャリアの最大数、干渉除去機能、マルチクラスタリソース割振り機能、パラレルアップリンク制御およびデータ伝送機能、またはＵＥのカテゴリから選択された少なくとも１つの無線リンク構成を制限する旨の要求の指示を含むＲＲＣ信号またはＭＡＣ情報要素を準備し、ＲＲＣ信号またはＭＡＣ情報要素を基地局に送信することを含み得る。
【００６７】
[0075]装置１３００は、無線リンクを使用して基地局と通信するための電気コンポーネント１３０６をさらに含み得、ここにおいて、要求に基づいて、無線リンク構成のうちの少なくとも１つの使用が制限される。たとえば、電気コンポーネント１３０６は、送受信機１３１４などに結合され、制限された機能を有する無線リンクを介して通信するための命令を保持するメモリ１３１６に結合された、少なくとも１つの制御プロセッサ１３１０を含み得る。制御プロセッサ１３１０は、メモリコンポーネント１３１６においてプログラム命令として保持され得る、アルゴリズムを動作させることができる。アルゴリズムは、制限が解除されるまで、たとえば、ＣＡ、ＣｏＭＰ、ダウンリンク層の最大数、アップリンク層の最大数、キャリアの最大数、干渉除去機能、マルチクラスタリソース割振り機能、パラレルアップリンク制御およびデータ伝送機能、またはＵＥのカテゴリの制限から選択された無線リンク構成の少なくとも１つの一時的な制限を有する基地局と通信することを含み得る。装置１３００は、説明を簡単にするために図１３に示されない、図１１〜図１２に関連して説明された追加の動作１１００または１２００のいずれかまたはすべてを実行するための同様の電気コンポーネントを含み得る。
【００６８】
[0076]関連する態様では、モバイルエンティティとして構成された装置１３００の場合、装置１３００は、少なくとも１つのプロセッサを有するプロセッサコンポーネント１３１０を任意選択で含み得る。プロセッサ１３１０は、そのような場合、バス１３１２または同様の通信結合を介して、コンポーネント１３０２〜１３０６または同様のコンポーネントと動作可能に通信し得る。プロセッサ１３１０は、電気コンポーネント１３０２〜１３０６によって実行される処理または機能の起動とスケジューリングとを実施し得る。プロセッサ１３１０は、全体的にまたは部分的に、コンポーネント１３０２〜１３０６を包含し得る。代替的に、プロセッサ１３１０は、１つまたは複数の別個のプロセッサを含み得るコンポーネント１３０２〜１３０４６とは別個であり得る。
【００６９】
[0077]さらなる関連する態様では、装置１３００は、無線送受信機コンポーネント１３１４を含み得る。送受信機１３１４の代わりに、または送受信機１３１４とともに、スタンドアロン受信機および／またはスタンドアロン送信機が使用され得る。代替または追加として、装置１３００は、異なるキャリア上で送信および受信するために使用され得る、複数の送受信機または送信機／受信機ペアを含み得る。装置１３００は、たとえば、メモリデバイス／コンポーネント１３１６のような、情報を記憶するためのコンポーネントを任意選択で含み得る。コンピュータ可読媒体またはメモリコンポーネント１３１６は、バス１３１２などを介して装置１３００の他のコンポーネントに動作可能に結合され得る。メモリコンポーネント１３１６は、コンポーネント１３０２〜１３０６、およびそれらのサブコンポーネント、またはプロセッサ１３１０、または追加の態様１１００もしくは１２００、または本明細書で開示される方法の活動を実行するための、コンピュータ可読命令とデータとを記憶するように適合され得る。メモリコンポーネント１３１６は、コンポーネント１３０２〜１３０６に関連する機能を実行するための命令を保持し得る。メモリ１３１６の外部にあるものとして示されているが、コンポーネント１３０２〜１３０６はメモリ１３１６内に存在してよいことを理解されたい。
【００７０】
[0078]情報および信号は様々な異なる技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界もしくは磁性粒子、光場もしくは光学粒子、またはそれらの任意の組合せによって表され得る。
【００７１】
[0079]さらに、本明細書の開示に関連して説明された様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的なコンポーネント、ブロック、モジュール、回路、およびステップを、上記では概してそれらの機能に関して説明した。そのような機能をハードウェアとして実装するか、ソフトウェアとして実装するかは、具体的な適用例および全体的なシステムに課される設計制約に依存する。当業者は、説明された機能を具体的な適用例ごとに様々な方法で実装することができるが、そのような実装の決定は、本開示の範囲からの逸脱を生じるものと解釈すべきではない。
【００７２】
[0080]本明細書の開示に関連して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタロジック、個別ハードウェアコンポーネント、または本明細書に記載の機能を実行するように設計されたそれらの任意の組合せを用いて実装または実行され得る。汎用プロセッサはマイクロプロセッサであってよいが、代替として、プロセッサは任意の従来のプロセッサ、コントローラ、マイクロコントローラ、または状態機械であってよい。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成として実装され得る。
【００７３】
[0081]本明細書の開示に関して説明された方法またはアルゴリズムのステップは、直接ハードウェアで具現化されてよく、プロセッサによって実行されるソフトウェアモジュールで具現化されてよく、またはその２つの組合せで具現化されてよい。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサと一体化され得る。プロセッサおよび記憶媒体はＡＳＩＣ中に常駐し得る。ＡＳＩＣは、ユーザ端末内に常駐し得る。代替として、プロセッサおよび記憶媒体は、ユーザ端末内に個別コンポーネントとして常駐し得る。
【００７４】
[0082]１つまたは複数の例示的な設計では、説明された機能は、ハードウェア、ソフトウェア、ファームウェア、または任意のそれらの組合せで実装され得る。ソフトウェアで実装される場合、機能は、１つまたは複数の命令またはコードとしてコンピュータ可読媒体上に記憶され、またはコンピュータ可読媒体を介して送信され得る。コンピュータ可読媒体は、ある場所から別の場所へのコンピュータプログラムの転送を可能にする任意の非一時的有形媒体を含む、コンピュータ記憶媒体とコンピュータ通信媒体の両方を含む。記憶媒体は、汎用または専用コンピュータによってアクセスされ得る任意の利用可能な媒体であってよい。限定ではなく例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、または、命令またはデータ構造の形態の所望のプログラムコード手段を搬送または記憶するために使用され、汎用もしくは専用コンピュータまたは汎用もしくは専用プロセッサによってアクセスされ得る、任意の他の媒体を備え得る。本明細書で使用されるディスク（disk）およびディスク（disc）は、コンパクトディスク（disc）（ＣＤ）、レーザディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、磁気的に符号化されたデータを保持し、ディスク（disc）は、光学的に符号化されたデータを保持する。上記の組合せもコンピュータ可読媒体の範囲内に含めるべきである。
【００７５】
[0083]本開示の前述の説明は、いかなる当業者でも本開示を作成または使用することができるように提供される。本開示への様々な修正は当業者には容易に明らかであり、本明細書で定義された一般原理は、本開示の趣旨または範囲から逸脱することなく他の変形形態に適用され得る。したがって、本開示は、本明細書で説明される例および設計に限定されるものではなく、本明細書で開示される原理および新規の特徴に合致する最も広い範囲を与えられるべきである。
【図１】
2015536612.tif 000003
【図２】
2015536612.tif 000004
【図３】
2015536612.tif 000005
【図４】
2015536612.tif 000006
【図５】
2015536612.tif 000007
【図６】
2015536612.tif 000008
【図７】
2015536612.tif 000009
【図８】
2015536612.tif 000010
【図９】
2015536612.tif 000011
【図１０】
2015536612.tif 000012
【図１１】
2015536612.tif 000013
【図１２】
2015536612.tif 000014
【図１３】
2015536612.tif 000015
【国際調査報告】
2015536612.tif 000016
2015536612.tif 000017